(57)【要約】【課題】つまみの形状、大きさが多少違っても、しっかりと取り付けることができ、ネジを締め付けるための工具等を必要とせずにワンタッチで取り付けることのできる回路遮断器の動作表示装置を提供する。【解決手段】回路遮断器の通電時に先端が上向きに傾斜し、遮断時に先端が下向きに傾斜するつまみを有する回路遮断器の動作表示装置であって、つまみに装着されるつまみ装着穴１２ａを有する装着部１２と、装着部１２の基端部に取り付けられたキャップ状ケース１１とよりなり、装着部１２のつまみ装着穴１２ａの内周に、圧力により変形可能な凸部１２ｂを形成し、キャップ状ケース１１内に、ＬＥＤ１６と、このＬＥＤ１６を点灯するための電池１５と、つまみが下向きに傾斜したときに作動する可動体１３と電極１４，１４からなる傾斜スイッチとを内蔵した回路遮断器の動作表示装置。【選択図】図１
2008287954.tif 000002
【特許請求の範囲】
【請求項１】
回路遮断器の通電時に先端が上向きに傾斜し、遮断時に先端が下向きに傾斜するつまみを有する回路遮断器の動作表示装置であって、前記つまみに装着されるつまみ装着穴を有する装着部と、前記装着部の基端部に取り付けられたキャップ状ケースとよりなり、前記装着部のつまみ装着穴の内周に、圧力により変形可能な凸部を形成し、前記キャップ状ケース内に、表示灯と、この表示灯を点灯するための電池と、前記つまみが下向きに傾斜したときに作動して前記表示灯を点灯させる傾斜スイッチとを内蔵したことを特徴とする回路遮断器の動作表示装置。
【請求項２】
前記キャップ状ケースは、半透明の合成樹脂材により形成されていることを特徴とする請求項１記載の回路遮断器の動作表示装置。
【請求項３】
前記装着部のつまみ装着穴の内周の寸法に比べ、前記つまみの外周の寸法が小さいときに、前記つまみの外周に装着するための所定厚さの補間シールを備えたことを特徴とする請求項１または２に記載の回路遮断器の動作表示装置。
【請求項４】
前記傾斜スイッチは、前記キャップ状ケース内に形成された可動体移動室と、この可動体移動室内においてつまみの長手方向に移動自在に収納される可動体と、前記可動体が前記キャップ状ケースの先端側に移動したときに当該可動体によって閉路する接点とを備えていることを特徴とする請求項１から３のいずれかの項に記載の回路遮断器の動作表示装置。
【請求項５】
前記可動体は、先端が円錐状の棒状体である請求項４記載の回路遮断器の動作表示装置。
【請求項６】
前記可動体の基端面と前記可動体移動室の相対面とのいずれかに、可動体密着防止のための凸部が形成されていることを特徴とする請求項５記載の回路遮断器の動作表示装置。
【発明の詳細な説明】
【技術分野】
【０００１】
本発明は、家庭用配電盤（分電盤）に設置されているブレーカや漏電遮断器、リミッタ等の回路遮断器の中で、「切」状態となっている回路遮断器を容易に発見できる回路遮断器の動作表示装置に関する。
【背景技術】
【０００２】
家庭用配電盤は、屋内引き込み線と屋内配線との間に設置されるもので、各部屋や各階等の配電系統毎、あるいは使用電圧の異なる電気機器毎に設けられるブレーカ、漏電や感電事故を防止する漏電遮断器、契約電流を超えた電流が流れたときに作動するリミッタ（電流制限器）が設置されている。
【０００３】
ブレーカは、電気機器の故障や電線のショートなどでそのブレーカの規定のアンペアを超えた電流が流れると自動的に切れ、屋内配線を保護する。ブレーカは通常、配電系統や特定の電気機器（例えばクーラ）毎に設けられ、特定の配電系統や電気機器に過電流が流れると、そのブレーカのみが「切」になり、その他の配電系統や電気機器のブレーカは「入」のままである。
【０００４】
漏電遮断器は、電気機器が故障して本体に電流が流れたり、屋内配線が金属と接触して電気機器以外に電流が流れるといった、漏電を検出して遮断するものである。
【０００５】
リミッタは、電気機器の使いすぎ等で、電力会社との契約アンペアを超えた電流が流れると自動的に作動し、家庭全体の電気が切れ、停電となる。
【０００６】
これらのブレーカや漏電遮断器、リミッタは、壁面などに取り付けられる回路遮断器本体の前方に電気を「入」「切」操作するつまみが設けられており、通常、つまみが上がるとつまみの基端部に「入」の表示が、つまみが下がるとつまみの基端部に「切」の表示が表れるようになっており、現在の回路遮断器の「入」「切」の動作状態を知ることができるような規格となっている。
【０００７】
ところで、このような機能を有する各種回路遮断器を備えた家庭用配電盤は、屋内の玄関の壁や台所等の天井近辺の高い場所に設置されることが多く、過電流でブレーカが「切」になっても、家庭用配電盤の中から「切」になったブレーカを見つけるのは難しい。特に、視力が弱くなった高齢者や、ブレーカの操作に慣れていない人が、配電盤の中から「切」のブレーカを特定することは難しい。さらに、近年では、オール電化の普及等により、屋内配線の回路数が増えて、その分だけブレーカの数も多くなるため、配電盤を見ただけでは、どの回線が切れたかの確認が難しくなっている。
【０００８】
電力会社のコールセンターでは、顧客からの問い合わせに対応するために、２４時間態勢で電話を受け付けている。その問い合わせの中には、ブレーカに関するものがある。ブレーカに関して問い合わせをする顧客は、ブレーカの操作方法を知らない人である。このような顧客に、ブレーカの操作方法を電話で説明をすることは非常に大変な作業であり、結局は、サービス担当員が顧客の家庭に出かけて回復作業を行っている。作業そのものは、ブレーカの動作原因を取り除いた後、該当ブレーカのつまみを「入」にするという一瞬の操作である。しかし、サービス担当員が到着するまでの間、顧客には、電気を使用できないという不便を掛けることになる。
【０００９】
顧客に対して、どのブレーカのつまみを「入」にするかが判れば、電話での説明でも済むことが多いと思われる。
【００１０】
ブレーカ遮断時に、ブレーカの近傍に設けた発光体を発光させてブレーカの位置を知らせる装置が提案されている（例えば、特許文献１〜３参照）。
【００１１】
特許文献１には、発光体を備えた表示回路を屋外側の本線と接続し、過電流が流れ本線用の回路遮断器が切れたときこれと連動して表示回路の回路遮断器が入り、前記発光体を発光させるように構成した屋内配線用のブレーカが開示されている。
【００１２】
特許文献２には、ブレーカ、漏電遮断器等の電源遮断器のケーシングの表面側の一部に、電源遮断器の電源側における帯電状態と、電源遮断器のオンオフ状態またはトリップ状態を識別表示する３色のＬＥＤを備えた点灯表示部を設け、例えば電源側が帯電状態で遮断器がオンの場合は緑色表示、電源側が帯電状態で遮断器がオフの場合は黄色表示、遮断器がトリップ状態のときは赤色表示することにより、動作状態を識別できるような電源遮断器が記載されている。
【００１３】
特許文献３には、配電用開閉器のブレーカにおいて、ＬＥＤを取り付けて遮断したときにＬＥＤが点灯するように回路遮断器を設けたブレーカが記載されている。
【００１４】
また、ブレーカのつまみの内部にネオン灯等の表示灯を埋設し、回路遮断時に表示灯を点灯させてつまみを発光させるブレーカも提案されている（例えば、特許文献４参照）。
しかし、これらの装置は、ＬＥＤやネオン灯等の発光体をブレーカ本体やつまみ内部に組み込んだ構造であるので、新規のブレーカには適用できるが、既存のブレーカに取り付けることはできない。この動作表示機能を付加するためだけに、既存のブレーカを動作表示機能付きブレーカに交換するのには、コストと手間が掛かりすぎる。
これに対し、特許文献５には、ブレーカのＯＮ・ＯＦＦレバー（つまみ）に装着される角筒状の取付部材を有する本体を、ネジによりつまみに取り付け、つまみがＯＦＦ時に前方が傾斜したときに表示灯が点灯するように、鋼球と、スイッチと、電池とＬＥＤを本体に内蔵させた非常用ブレーカ表示灯装置が記載されている。
【００１５】
【特許文献１】実開昭６１−１５１２４３号公報
【特許文献２】特開平１１−２６８０９４号公報
【特許文献３】特開２００３−３１１０１号公報
【特許文献４】実開昭４７−３３６６５号公報
【特許文献５】特開平９−３０６３２７号公報
【発明の開示】
【発明が解決しようとする課題】
【００１６】
しかしながら、前掲の特許文献５に記載された非常用ブレーカ表示灯装置では、既存のブレーカのつまみに取り付けることができるものの、次の問題がある。
（１）角筒状の取付部材をつまみに装着してネジで止めるようにしているが、つまみの形状、大きさが、ブレーカの契約アンペアの大小、メーカ、型番等によってまちまちであるので、取付可能なつまみが限定され、汎用性に乏しい。
（２）非常用ブレーカ表示灯装置を、ネジでつまみに固定するようにしているため、取付作業が繁雑になり、特にブレーカは薄暗い場所や高所に設置されているので、ネジ締めの作業がやりにくい。
（３）高い所での作業は危険を伴うことが多く、また、ネジの締め付けに工具を必要とするため、狭くて薄暗い場所では作業はさらに困難となる。また、取り付けるために時間が掛かり、作業性が悪い。
【００１７】
そこで本発明は、つまみの形状、大きさが多少違っても、しっかりと取り付けることができ、ネジを締め付けるための工具等を必要とせずにワンタッチで取り付けることのできる回路遮断器の動作表示装置を提供することを目的とする。
【課題を解決するための手段】
【００１８】
前記課題を解決するため、本発明は、回路遮断器の通電時に先端が上向きに傾斜し、遮断時に先端が下向きに傾斜するつまみを有する回路遮断器の動作表示装置であって、前記つまみに装着されるつまみ装着穴を有する装着部と、前記装着部の基端部に取り付けられたキャップ状ケースとよりなり、前記装着部のつまみ装着穴の内周に、圧力により変形可能な凸部を形成し、前記キャップ状ケース内に、表示灯と、この表示灯を点灯するための電池と、前記つまみが下向きに傾斜したときに作動して前記表示灯を点灯させる傾斜スイッチとを内蔵したことを特徴とする。
【００１９】
本発明においては、回路遮断器の遮断時に点灯する動作表示装置をつまみにワンタッチで取り付けることができるようにするために、傾斜スイッチを内蔵したキャップ状ケースに装着部を接着等で固定し、装着部に、圧力により変形可能な凸部を内周に形成されたつまみ装着穴を設けて、回路遮断器のつまみに装着する。そうすると、つまみの外形の寸法に応じて凸部が変形し、その変形により、つまみの表面と、変形した凸部の面とが密着し、両者の摩擦抵抗の増大により、容易にはつまみから動作表示装置が抜けることはなくなる。
【００２０】
前記キャップ状ケースは、半透明の合成樹脂材により形成することにより、表示灯が点灯したときに、キャップ状ケースで光が散乱し、キャップ状ケース全体が光るので、外部の広い角度から点灯状態が見やすくなる。
前記装着部のつまみ装着穴の内周の寸法に比べ、つまみの外周の寸法が小さいときに、つまみの外周に装着するための所定厚さの補間シールを備えたことにより、つまみとつまみ装着穴との間の隙間が大きいときに、詰め物となる。
【００２１】
前記傾斜スイッチは、前記キャップ状ケース内に形成された可動体移動室と、この可動体移動室内においてつまみの長手方向に移動自在に収納される可動体と、前記可動体が前記キャップ状ケースの先端側に移動したときに当該可動体によって閉路する接点とを備えた構成とすることができる。傾斜スイッチとしては、従来より水銀スイッチがあるが、水銀は健康上問題があるとされているため、これを避けるためには、固体の可動体とすることが望ましい。
【００２２】
前記可動体は、先端が円錐状の棒状体とすることができる。固体の可動体としては、鋼球が考えられるが、可動体移動室の口径が小さいと鋼球の径も小さくせざるを得ない。そうすると、鋼球の重量を大きくすることができず、動作感度が悪くなる。また、鋼球が軽いと、可動体移動室の壁面に鋼球が密着してつまみが傾斜してもなかなか移動しないことがある。そこで、可動体を弾丸形状とし、また可動体の長さを長くすることにより、可動体移動室の口径が小さくても、可動体の重量を大きくすることができる。
【００２３】
前記可動体の基端面と前記可動体移動室の相対面とのいずれかに、可動体密着防止のための凸部を形成することが望ましい。弾丸状の可動体の基端面と可動体移動室の相対面がいずれも平面であると、湿気や油等で両者が密着するおそれがあるが、凸部をいずれかの面に形成することにより、密着を防止して、可動体を確実に移動させることができる。
【発明の効果】
【００２４】
本発明によれば、回路遮断器の通電時に先端が上向きに傾斜し、遮断時に先端が下向きに傾斜するつまみを有する回路遮断器の動作表示装置であって、前記つまみに装着されるつまみ装着穴を有する装着部と、前記装着部の基端部に取り付けられたキャップ状ケースとよりなり、前記装着部のつまみ装着穴の内周に、圧力により変形可能な凸部を形成し、前記キャップ状ケース内に、表示灯と、この表示灯を点灯するための電池と、前記つまみが下向きに傾斜したときに作動する傾斜スイッチとを内蔵したことにより、つまみの形状、大きさが多少違っても、しっかりと取り付けることができ、ネジを締め付けるための工具等を必要とせずにワンタッチで取り付けることのできる回路遮断器の動作表示装置を得ることができる。
【発明を実施するための最良の形態】
【００２５】
以下、本発明の実施の形態を図１〜図４を用いて説明する。
図１は本発明の実施の形態に係る回路遮断器の動作表示装置を示すものであり、図１（ａ）は回路遮断器の縦断側面図、（ｂ）は左側面図、（ｃ）は一部切欠右側面図、（ｄ）は一部切欠平面図、（ｅ）は一部切欠底面図である。また、図２は本実施の形態に係る可動体の斜視図、図３（ａ）は本実施の形態に係る補間シールの側面図、（ｂ）はその補間シールの底面図、（ｃ）はつまみへの取付状態を示す側面図、図４（ａ）は動作表示装置をブレーカに装着した状態の通電時の斜視図、（ｂ）は同じく遮断時の斜視図である。
【００２６】
この実施の形態において、動作表示装置１０は、キャップ状ケース１１と装着部１２とより構成されている。キャップ状ケース１１は、ケース本体１１ａとキャップ１１ｂとよりなり、ケース本体１１ａの側部に形成した突起１１ｃとキャップ１１ｂに形成した係合穴１１ｄとの係合によりキャップ１１ｂはケース本体１１ａに止まるようになっている。
ケース本体１１ａには、可動体移動室１１ｅと電池収納室１１ｆが設けられており、可動体移動室１１ｅには導電体である金属製の可動体１３と電極１４が収納され、電池収納室１１ｆには電池１５が収納されている。
【００２７】
また、ケース本体１１ａの先端部には、ＬＥＤ１６および電流制限用抵抗（図示せず）が設置されていて、そのＬＥＤ１６、電流制限用抵抗、電池１５、電極１４，１４、および可動体１３とで傾斜スイッチの電気回路を形成している。この電気回路には、電池１５の消耗を低減するために、ＬＥＤ１６を所定時間間隔で点滅させるための点滅回路や、所定時間後にＬＥＤ１６を消灯させるタイマー回路を付設することもできる。
【００２８】
可動体１３は、図２に示すように先端部１３ａが円錐状の棒状体であり、全体として弾丸形状となっている。可動体としては、鋼球が考えられるが、可動体移動室１１ｅの口径が小さいと鋼球の径も小さくせざるを得ない。そうすると、鋼球の重量を大きくすることができず、動作感度が悪くなる。また、鋼球が軽いと、可動体移動室１１ｅの壁面に鋼球が密着してつまみが傾斜してもなかなか移動しないことがある。そこで、可動体１３を弾丸形状とし、また可動体１３の長さを長くすることにより、可動体移動室１１ｅの口径が小さくても、可動体１３の重量を大きくして、つまみが傾いたときの移動感度を上げることができる。
【００２９】
また、可動体１３の基端面には、凸部１３ｂを設けて、可動体移動室１１ｅの相対面と可動体１３の基端面とが密着しないようにしている。可動体１３の基端面と可動体移動室１１ｅの相対面がいずれも平面であると、湿気や油等で両者が密着するおそれがあるが、可動体１３の基端面に凸部１３ｂを設けることにより、密着を防止して、可動体を確実に移動させることができる。なお、可動体１３の基端面に凸部１３ｂを設ける代わりに、可動体移動室１１ｅの相対面に凸部を形成し、可動体１３の基端面はフラットとしても、同様の密着防止効果がある。
【００３０】
ケース本体１１ａとキャップ１１ｂは、半透明で乳白色のやや硬質の合成樹脂で形成されており、ＬＥＤ１６が点灯したとき、キャップ状ケース１１全体が光って、下方や側方からも点灯状態が容易に視認できるようにする。
【００３１】
装着部１２は、角筒状のつまみ装着穴１２ａが形成されており、内面には凸部１２ｂが形成されている。装着部１２はキャップ状ケース１１よりも軟らかな材質の合成樹脂または合成ゴムよりなっており、凸部１２ｂは、圧力が掛かると変形可能になっている。すなわち、つまみ装着穴１２ａに回路遮断器のつまみを挿入すると、凸部１２ｂが押し潰されるように変形し、つまみの外周に密着する。つまみ装着穴１２ａ自体は周囲が閉じているので、凸部の変形の程度は、まずつまみ装着穴１２ａとつまみの外周との間を埋める範囲までとなり、それ以上は、装着部１２全体でつまみを締め付ける状態となる。
【００３２】
このようにして、ある程度の範囲でつまみの外形の寸法が変わっても、同一の装着部１２で、つまみから容易に抜け出さないように対応することができる。つまみの外形のサイズの大小に対応させるには、２〜３種類のつまみ装着穴１２ａを有する装着部１２を準備しておくこともできる。
【００３３】
つまみの外形が小さい場合には、図３（ａ）に示す補間シール２０をつまみの裏表に貼り付けるか当てて、つまみ装着穴１２ａに装着することもできる。補間シール２０は、シールベース２１の上にやや硬いシール２２と軟らかいシール２３を積層して接着したものであり、これを図３（ｃ）に示すように、つまみ側に軟らかいシール２３が来るように接着するか押し当てた状態で、つまみ装着穴１２ａに装着する。そうすると、つまみとつまみ装着穴１２ａとの間が補間シール２０により埋められるので、つまみががたつくことなく、装着部１２に取り付けられる。なお、やや硬いシール２２を用いるのは、全体が軟らかいシールであると、同じく軟らかい材料で形成されている凸部１２ｂとの間でつまみが振れやすくなり、遮断器作動時の衝撃などで力が加わったとき、テコの原理でつまみがつまみ装着穴１２ａから離脱しやすくなるのを防止するためである。
【００３４】
シールベース２１は表面が滑らかなものを使用すると、つまみ装着穴１２ａに挿入したとき、凸部１２ｂの密着面との間の摩擦抵抗が小さく、滑りやすくなるが、図３（ｂ）に示すように、シールベース２１における凸部１２ｂとの密着面に係止用穴２１ａを設けておくと、その係止用穴２１ａを通して凸部１２ｂとやや硬いシール２２とが接触するため、摩擦抵抗が大きくなり、つまみが離脱しやすくなるのを防止できる。
【００３５】
以上のような構成の動作表示装置１０を、図４（ａ）に示すようにブレーカ等の回路遮断器のつまみＬに装着して使用する。通常の使用状態では、可動体１３は可動体移動室１１ｅの内部にあって、電極１４，１４とは反対側に退避しているが、図４（ｂ）に示すように回路遮断器が遮断動作してつまみＬが下降すると、可動体１３は可動体移動室１１ｅの内部にあって、電極１４，１４側に移動し、電極１４，１４間を電気的に短絡させる。これにより、ケース本体１１ａ内のＬＥＤ１６が点灯し、停電時の暗い中で光るので、どの回路遮断器が遮断しているかを、暗闇の中でも容易に識別することができる。
【産業上の利用可能性】
【００３６】
本発明は、「切」状態となっている回路遮断器を容易に発見できる回路遮断器の動作表示装置として、家庭用配電盤（分電盤）に設置されているブレーカや漏電遮断器、リミッタ等の回路遮断器に利用することができる。
【図面の簡単な説明】
【００３７】
【図１】本発明の実施の形態に係る回路遮断器の動作表示装置を示すものであり、（ａ）は回路遮断器の縦断側面図、（ｂ）は左側面図、（ｃ）は一部切欠右側面図、（ｄ）は一部切欠平面図、（ｅ）は一部切欠底面図である。
【図２】本実施の形態に係る可動体の斜視図である。
【図３】（ａ）は本実施の形態に係る補間シールの側面図、（ｂ）はその補間シールの底面図、（ｃ）はつまみへの取付状態を示す側面図である。
【図４】（ａ）は動作表示装置をブレーカに装着した状態の通電時の斜視図、（ｂ）は同じく遮断時の斜視図である。
【符号の説明】
【００３８】
１０  動作表示装置
１１  キャップ状ケース
１１ａ  ケース本体
１１ｂ  キャップ
１１ｃ  突起
１１ｄ  係合穴
１１ｅ  可動体移動室
１１ｆ  電池収納室
１２  装着部
１２ａ  つまみ装着穴
１２ｂ  凸部
１３  可動体
１３ａ  先端部
１３ｂ  凸部
１４  電極
１５  電池
１６  ＬＥＤ
２０  補間シール
２１  シールベース
２１ａ  係止用穴
２２  やや硬いシール
２３  軟らかいシール
Ｌ  つまみ
【図１】
2008287954.tif 000003
【図２】
2008287954.tif 000004
【図３】
2008287954.tif 000005
【図４】
2008287954.tif 000006